(57)【特許請求の範囲】
【請求項１】
ハゼ式折板屋根への太陽電池パネルの取付構造であって、
ハゼを把持する一対の挟着部を備えた複数のハゼ把持金物と、
前記ハゼ把持金物毎に設けられ、前記ハゼ把持金物に固定される台座金物と、
前記ハゼの延設方向と直交する方向に延設され、前記台座金物間に架設される胴縁金物と、を備え、
前記ハゼ把持金物の前記挟着部が、
前記台座金物が着座する上板部と、
前記上板部の両側端部から下方に延び、ハゼを挟む凹部が形成された一対の側板部と、
前記一対の側板部の下端部に接続された底板部と、を有し、
前記胴縁金物が、
閉断面を形成する上部、底部及び一対の側部を有すると共に、前記胴縁金物の内部において前記上部と前記底部とを接続する壁部を備え、
前記上部には、前記胴縁金物の長手方向に延設され、前記太陽電池パネルの裏面に設けられた爪部と係合する係合溝が形成され、
前記台座金物は、
底板部と一対の側板部とを有して上方が開放されており、
前記胴縁金物の前記底部と、前記台座金物の前記底板部と前記一対の側板部とにより閉断面が形成され、
前記ハゼ把持金物と前記台座金物とは、前記上板部から上方に延びるボルトを前記台座金物の前記底板部に設けた挿通孔に通した状態でナットを締結することにより固定され、
前記台座金物と前記胴縁金物とは、前記台座金物の前記一対の側板部の上端部から側方に延びる一対のフランジ部と、前記胴縁金物の前記底部の両側部から側方に延びる一対のフランジ部とを重ねた状態でこれらに形成した挿通孔に挿通されるボルトとナットとを締結することにより固定される太陽電池パネルの取付構造。
【請求項２】
前記係合溝に挿入され、前記爪部の係合後の前記係合溝の側壁と前記爪部との隙間を埋める部分を有する隙間埋め部材を備えた請求項１に記載の太陽電池パネルの取付構造。
【発明の詳細な説明】
【技術分野】
【０００１】
本発明は、ハゼ式折板屋根に太陽電池パネルを取り付けるための構造に関する。
【背景技術】
【０００２】
ハゼ式折板屋根に太陽電池パネルを取り付ける取付構造としては、例えば、特許文献１乃至３に開示された取付構造が提案されている。これらの取付構造は、フレーム付き太陽電池パネルに関し、ハゼを把持する金物と、太陽電池パネルのフレームを挟持する金物等から構成されている。
【０００３】
一方、いわゆるフレームレスの太陽電池パネルの取付構造としては、太陽電池パネルの裏面にＬ字状の爪を有する金物を固定し、この爪との係合を利用したものが実用化されている。より具体的には、ハゼを把持する把持金物と、爪と係合する係合溝を有する胴縁金物と、把持金物と胴縁金物との間に設けられたＣ型鋼と、を備えた取付構造が実用化されている。Ｃ型鋼はハゼの長手方向に沿って延び、複数の把持金物上に架設される。胴縁金物はＣ型鋼間に架設される。
【先行技術文献】
【特許文献】
【０００４】
【特許文献１】特開２００５−２６４６１８号公報
【特許文献２】特開２００３−９６９８６号公報
【特許文献３】特開２０１１−１０６０９３号公報
【発明の概要】
【発明が解決しようとする課題】
【０００５】
フレームレスの太陽電池パネルの取付構造では、爪と係合溝との係合によって太陽電池パネルを取り付けるので、その作業が比較的簡易である。しかし、Ｃ型鋼を利用していたことにより、極めて強度の地震が生じた場合にその変形によって太陽電池パネルが揺れる可能性があり、この揺れによって隣接する太陽電池パネル間で衝突が生じてひび割れ等を生じさせる場合がある。また、Ｃ型鋼の利用は工数の増加やコストアップを招いていた。
【０００６】
本発明の目的は、フレームレスの太陽電池パネルの取り付けに際し、支持剛性を向上し、かつ、比較的簡易かつ安価な取付構造を提供することにある。
【課題を解決するための手段】
【０００７】
本発明によれば、ハゼ式折板屋根への太陽電池パネルの取付構造であって、ハゼを把持する一対の挟着部を備えた複数のハゼ把持金物と、前記ハゼ把持金物毎に設けられ、前記ハゼ把持金物に固定される台座金物と、前記ハゼの延設方向と直交する方向に延設され、前記台座金物間に架設される胴縁金物と、を備え、前記ハゼ把持金物の前記挟着部が、前記台座金物が着座する上板部と、前記上板部の両側端部から下方に延び、ハゼを挟む凹部が形成された一対の側板部と、前記一対の側板部の下端部に接続された底板部と、を有し、前記胴縁金物が、閉断面を形成する上部、底部及び一対の側部を有すると共に、前記胴縁金物の内部において前記上部と前記底部とを接続する壁部を備え、前記上部には、前記胴縁金物の長手方向に延設され、前記太陽電池パネルの裏面に設けられた爪部と係合する係合溝が形成され、前記台座金物は、底板部と一対の側板部とを有して上方が開放されており、前記胴縁金物の前記底部と、前記台座金物の前記底板部と前記一対の側板部とにより閉断面が形成され、前記ハゼ把持金物と前記台座金物とは、前記上板部から上方に延びるボルトを前記台座金物の前記底板部に設けた挿通孔に通した状態でナットを締結することにより固定され、前記台座金物と前記胴縁金物とは、前記台座金物の前記一対の側板部の上端部から側方に延びる一対のフランジ部と、前記胴縁金物の前記底部の両側部から側方に延びる一対のフランジ部とを重ねた状態でこれらに形成した挿通孔に挿通されるボルトとナットとを締結することにより固定される太陽電池パネルの取付構造が提供される。
【発明の効果】
【０００８】
本発明によれば、フレームレスの太陽電池パネルの取り付けに際し、支持剛性を向上し、かつ、比較的簡易かつ安価な取付構造を提供することができる。
【図面の簡単な説明】
【０００９】
【図１】本発明の一実施形態に係る太陽電池パネルの取付構造の平面図。
【図２】図１の線Ｉ−Ｉに沿う上記取付構造の正面図。
【図３】図１の上記取付構造の左側面図。
【図４】（Ａ）はハゼ把持金物の平面図、（Ｂ）は図４（Ａ）の線ＩＩ−ＩＩに沿う断面図。
【発明を実施するための形態】
【００１０】
図１は本発明の一実施形態に係る太陽電池パネルの取付構造１の平面図、図２は図１の線Ｉ−Ｉに沿う取付構造１の正面図、図３は図１の取付構造１の左側面図である。図中、矢印Ｚはハゼ式折板屋根１１０の法線方向を示す。図１はこのＺ方向から取付構造１を見た図であり、太陽電池パネルＰを透過して見える取付構造１を示している。矢印Ｘ、ＹはＺ方向に直交し、かつ、互いに直交する２方向を示す。ハゼ式折板屋根１１０は、互いに平行に複数のハゼ１１１が延設されており、ハゼ１１１の延設方向はＹ方向と同じ方向である。
【００１１】
太陽電池パネルＰはフレームレスの太陽電池パネルであり、その裏面には取付金具１００が複数個所（本実施形態の場合、４か所）に固定されている。取付金具１００はＬ字型の爪部１０１を備えている。
【００１２】
取付構造１は、複数のハゼ把持金物１０と、ハゼ把持金物１０毎に設けた台座金物２０と、台座金物２０間に架設された胴縁金物３０と、を備える。まず、図２乃至図４を参照してハゼ把持金物１０の構成について説明する。図４（Ａ）はハゼ把持金物１０の平面図、図４（Ｂ）は図４（Ａ）の線ＩＩ−ＩＩに沿うハゼ把持金物１０の断面図である。
【００１３】
ハゼ把持金物１０はハゼ１１１を把持する一対の挟着部１０Ａ、１０Ｂを備える。挟着部１０Ａ、１０Ｂは、それぞれ、台座金物２０が着座する上板部１１と、上板部１１の両側端部から下方に延び、ハゼ１１１を挟む凹部１２ａが形成された一対の側板部１２と、一対の側板部１２の下端部に接続された底板部１３と、を備えた箱型をなし、例えば、金属板をプレス加工で曲折して形成することができる。凹部１２ａは把持するハゼ１１１の断面形状に応じた形状に形成され、本実施形態の場合、半長円形状に形成されている。
【００１４】
挟着部１０Ａ、１０Ｂは、また、ボルト１５の挿通孔１４ａを形成する内側支持部１４を有している。挟着部１０Ａ、１０Ｂは互いに離間した状態で、ハゼ１１１を挟むように配置されたのち、ボルト１５とナット１６との締結により互いに密着した状態となり、ハゼ１１１を挟持してハゼ式折板屋根１１０に固定される。
【００１５】
ハゼ把持金物１０はボルト１７を有している。ボルト１７の頭部はアダプタ１８を介して、挟着部１０Ａ、１０Ｂの内側支持部１４間に収容され、ボルト１７のネジ部は内側支持部１４間を通過して上方に延びている。上板部１１の中央部はボルト１７のネジ部が通過する開口部を有しており、ボルト１７のネジ部は上板部１１の上方に延設されている。このボルト１７は、ハゼ把持金物１０に対する台座金物２０の固定に用いる。
【００１６】
次に、図１乃至図３を参照して台座金物２０及び胴縁金物３０について説明する。台座金物２０は、底板部２１とその両側端部から上方に延びる一対の側板部２２とを有し、これらは上方が開放したコの字型をなしている。底板部２１にはボルト１７が挿通する挿通孔（不図示）が設けられており、ここをボルト１７が挿通してナット５０を締結することで、台座金物２０はその底板部２１が上板部１１に密接してハゼ把持金物１０に着座した状態で固定される。台座金物２０は、また、側板部２２の上端部から側方に延びるフランジ部２３を有する。このフランジ部２３は胴縁金物３０の固定に用いられる。
【００１７】
胴縁金物３０はハゼ１１１の延設方向と直交するＸ方向に延設されている。胴縁金物３０は、上部３１、底部３２及び一対の側部３３を有し、これらが閉断面Ｓ２Ａ、Ｓ２Ｂを形成している。さらに、胴縁金物３０の内部には上部３１と底部３２とを接続する力骨状の壁部３４が設けられ、胴縁金物３０の内部空間が、閉断面Ｓ２Ａ、Ｓ２Ｂに略二分されている。
【００１８】
胴縁金物３０は、また、底部３２の両側部から側方に延びるフランジ部３５を備える。フランジ部３５は台座金物２０のフランジ部２３と重ねられ、これらにそれぞれ形成した挿通孔（不図示）にボルト５１を挿通させ、ナット５２と締結することで、胴縁金物３０が台座金物２０に固定される。胴縁金物３０と台座金物２０とが固定された状態においては、胴縁金物３０の底部３２と、台座金物２０の底板部２１と一対の側板部２２とにより閉断面Ｓ１が形成される。
【００１９】
胴縁金物３０の上部３１には、胴縁金物３０の長手方向（Ｘ方向）に延設された係合溝３１ａが形成されている。係合溝３１ａの一部上方に係合部３１ｂが突出している。太陽電池パネルＰの取付金具１００の爪部１０１は、図３において矢印で示すように、係合溝３１ａへ落とし込まれた後、係合部３１ｂ側へスライドさせることで、爪部１０１と係合部３１ｂとが係合状態となって、太陽電池パネルＰのＺ方向及びＹ方向一方への移動が規制されることになる。
【００２０】
爪部１０１と係合部３１ｂとが係合状態にある場合、係合溝３１ａの係合部３１ｂと反対側の部分には、爪部１０１が存在しない隙間が生じる。本実施形態の場合、隙間埋め部材４０を係合溝３１ａに挿入してこの隙間を埋める。図１に示すように、隙間埋め部材４０は、その先端部に切り欠き４０ａが形成された帯状をなしている。この切り欠き４０ａは爪部１０１に当接してそのＸ方向の移動を規制し、また、切り欠き４０ａによって形成された凸部４０ｂは、爪部１０１と係合溝３１ａの側壁との間の隙間に挿入されてこれを埋める。隙間埋め部材４０は、係合溝３１ａとの嵌合により、或いは、接着若しくはボルト締結によって胴縁金物３０に固定することができる。
【００２１】
こうして本実施形態では、太陽電池パネルＰのＸ、Ｙ及びＺ方向の移動を爪部１０１と係合部３１ｂとの係合及び隙間埋め部材４０の装着によって規制することができる。
【００２２】
なお、本実施形態では、２本の胴縁金物３０で一枚の太陽電池パネルＰを支持する構成としたが、胴縁金物３０を長くすることによって、２本の胴縁金物３０で複数枚の太陽電池パネルＰを支持することも可能である。
【００２３】
係る構成からなる取付構造１では、従来のＣ型鋼を排して台座金物２０を採用した。この台座金物２０は、胴縁金物３０の底部３２と共に閉断面Ｓ１を形成するので、太陽電池パネルＰの支持剛性を向上できる。この閉断面Ｓ１は台座金物２０と胴縁金物３０との固定により形成され、固定前は台座金物２０の上方は開放しているので、ボルト５２の締結作業にも支障はない。しかも、台座金物２０はハゼ把持金物１０毎にスポット的に配設されるので、Ｃ型鋼に比べてコストを低減でき、かつ、施工も比較的簡易である。
【００２４】
胴縁金物３０は、その内部に壁部３４を設けたことにより剛性が向上し、したがって太陽電池パネルＰの支持剛性を向上できる。また、太陽電池パネルＰの取り付けは、取付金具１００の爪部１０１を係合溝３１ａへ落とし込み、係合部３１ｂ側へスライドさせればよいので、施工が比較的簡易である。
【００２５】
ハゼ把持金物１０は、箱型をなしているので、雪止め金物としても利用されているＩ字型のものよりも剛性を向上でき、したがって太陽電池パネルＰの支持剛性を向上することができる。
【００２６】
こうして本実施形態では、フレームレスの太陽電池パネルＰの取り付けに際し、略全方位について支持剛性を向上できる。しかも、比較的簡易かつ安価に提供することができる。
【図１】
0005937361.tif 000002
【図２】
0005937361.tif 000003
【図３】
0005937361.tif 000004
【図４】
0005937361.tif 000005